(57)【特許請求の範囲】
【請求項１】
複数のキーを備え、装置本体に対して固定的に取り付けられる第一の操作パネルと、複数のキーを備え、装置本体に対して出没自在に取り付けられる第二の操作パネルとで構成される操作パネルであって、
前記第二の操作パネルは、側部から下方に向けて延設されたプレートと、前記プレートの後部に立設されたストッパピンと、前記プレートの下部に立設されたヒンジと、を有し、
前記装置本体は、前記ヒンジを前後方向にスライド可能に案内するとともに、前端の中心位置で前記ヒンジが回動可能となるように形成されたヒンジレールと、前記ストッパピンを前後方向に案内するとともに、前記ヒンジが前記中心位置に位置するときの前記ストッパピンの位置である閉位置から、前上方の開位置まで、前記ストッパピンが円弧状に移動可能となるように、前記中心位置を中心として前記閉位置から前記開位置まで円弧状に形成されたストッパレールと、を有し、
前記第二の操作パネルは、前記装置本体に収納された状態から、前記閉位置まで前後方向にスライド可能であるとともに、前記閉位置から前記開位置まで開閉可能であることを特徴とする操作パネル。
【発明の詳細な説明】
【０００１】
【発明の属する技術分野】
本発明は、コピー装置、ファクシミリ装置等に設けられ、各種の操作キーを具備する操作パネルに関する。
【０００２】
【従来の技術】
一般的に、ファクシミリ装置等の前面には、操作を行うための各種の操作キーが具備される操作パネルが設けられている。コピー機能とファクシミリ機能とを備えた複合機などでは、両機能を持たせるため操作パネルには特に多数のキーが備えられている。
操作パネルに設けられる各種の操作キーとしては、コピー装置であればコピー操作に関わる各種キー、ファクシミリ装置であればファクシミリ通信の際の相手先番号を予め登録しておくワンタッチキー等などがあり、あるいは両装置の機能を備えた複合機であれば、さらにコピーモードとファクシミリモードとの切り換えを行うモード切換キーなどが付け加えられている。
前述のように、装置自体の多機能化に沿って操作パネル上には多数のキーが密集して設けられ、デザイン性を損なっている。また、読取部と作像部との間に形成される空間部に記録された用紙を排出する機能を備えた画像形成装置においては、機能強化にしたがってキーが多くなり、装置前面にわたって操作パネルが配置される。すると操作パネルに視線を遮られて、排出された用紙を上方より確認することが出来ないという問題が生じる。そこで、従来では操作パネルの一部を切欠いて該切欠部から排出された記録紙が見えるようにしている。
【０００３】
【発明が解決しようとしている課題】
しかし、単に操作パネルを小さくするだけでは、ある機能を有するキーを削除する必要があり、多機能化の妨げとなる。また、複合機でコピー機能を主に使用するユーザにとっては、ファクシミリモードで用いられるワンタッチキーはあまり使用しないので、通常は収納しておきたいという要求がある。
そこで、本発明においては、装置の多機能を維持しながらパネル面をコンパクトに構成した操作パネルを提供するものである。
【０００４】
【課題を解決するための手段】
本発明の解決しようとする課題は以上の如くであり、次に該課題を解決するための手段を説明する。
即ち、請求項１においては、複数のキーを備え、装置本体に対して固定的に取り付けられる第一の操作パネルと、複数のキーを備え、装置本体に対して出没自在に取り付けられる第二の操作パネルとで構成される操作パネルであって、
前記第二の操作パネルは、側部から下方に向けて延設されたプレートと、前記プレートの後部に立設されたストッパピンと、前記プレートの下部に立設されたヒンジと、を有し、
前記装置本体は、前記ヒンジを前後方向にスライド可能に案内するとともに、前端の中心位置で前記ヒンジが回動可能となるように形成されたヒンジレールと、前記ストッパピンを前後方向に案内するとともに、前記ヒンジが前記中心位置に位置するときの前記ストッパピンの位置である閉位置から、前上方の開位置まで、前記ストッパピンが円弧状に移動可能となるように、前記中心位置を中心として前記閉位置から前記開位置まで円弧状に形成されたストッパレールと、を有し、
前記第二の操作パネルは、前記装置本体に収納された状態から、前記閉位置まで前後方向にスライド可能であるとともに、前記閉位置から前記開位置まで開閉可能であることを特徴とする操作パネルである。
【０００７】
【発明の実施の形態】
次に本発明の実施例を説明する。図１は複合機を示す斜視図であり、図２はワンタッチパネルを示す斜視図であり、図３はワンタッチパネルのスライド及び回動機構を示す正面図であり、図４はワンタッチパネルのスライド及び回動機構を示す側面図である。
【０００８】
まず、本発明のワンタッチパネルが適用される一例としての、複数のキーを備えた装置である、コピー機能とファクシミリ機能とを備えた複合機の概略構成について、図１により説明する。
複合機Ｃは、記録部１の上方に読取部２を配置して構成されており、該記録部１においては、作像部３及び給紙カセット４がそれぞれ上下に内装されて、給紙カセット４内に堆積される用紙を作像部３へ給紙して記録した後に、排紙トレイ５へ排出するように構成している。また、排紙トレイ５前方には引き出し可能なトレイ５１が配設されており、排紙トレイ５及びトレイ５１にて排紙部を構成している。
【０００９】
一方、読取部２においては、読取ケース１３内に原稿等の内容を読み取るための読取装置を収納しており、該読取ケース１３上面に載置された原稿を該読取装置により走査して、読み取りを行うようにしている。
また、読取ケース１３の上方には、その一辺を中心として開閉可能に構成される原稿押えカバー７が配置され、該原稿押えカバー７により読取ケース１３上面に載置された原稿を上方から押えるものとしている。
【００１０】
さらに、原稿押えカバー７の一端部には原稿を自動的に給紙する自動給紙装置（ＡＤＦ装置）８が付設され、原稿供給トレイ９に載置した原稿を自動給紙装置８により一枚ずつピックアップして、自動給紙装置８内の搬送装置（図示せず）により読取ケース１３上面の一端部に設けられるＡＤＦ読取部（図示せず）へ搬送し、搬送されている原稿を読取装置（図示せず）によりその内容を読み取った後に、原稿押えカバー７の上面に形成される原稿排出トレイ１０へ排出するように構成している。
【００１１】
即ち、読取部２は、読取装置を走査させて静止原稿を読み取るフラットベッドタイプのスキャナとして用いるとともに、読取装置を位置固定して原稿を給送しながら読み取りを行うシートフィードタイプのスキャナとして用いることができるように構成されている。
【００１２】
複合機Ｃには、各種の操作キーを設けられた操作パネルが二つ備えられており、第一の操作パネルが固定式の操作パネル１５であり、第二の操作パネルが出没式の操作パネルであるワンタッチパネル１６である。該ワンタッチパネル１６は操作パネル１５の下方に配置されている。
【００１３】
操作パネル１５は読取ケース１３の一側方に付設され、該操作パネル１５の各種操作キーを操作することにより、原稿内容の読み取りを行ったり、読み取った内容をファクシミリ送信する際の送信先の設定を行ったり、受信内容や読み取った内容の作像部３による記録を行ったりするようにしている。
【００１４】
操作パネル１５上には、常に露出している第一キー群を構成する各種の操作キー等が設けられている。例えば、原稿内容のファクシミリ送信やコピーを開始する際に操作するスタートキー２１、これらの動作を途中で停止する際に操作するストップキー２２、ファクシミリ送信先へダイヤルしたりコピー枚数を設定したりする際に操作するテンキー２３、複合機Ｃの各種設定や操作の内容の選択・決定を行うカーソルキー２６、及び複合機Ｃの動作状態や設定状態等を表示する表示器２７等が設けられている。
つまり、操作パネル１５上には、使用頻度の高いキーたる第一キー群のキーが配設されている。
【００１５】
これより、本発明のワンタッチパネル１６について説明する。
図２に示すように、ワンタッチパネル１６上面には、複数のワンタッチキー２９・２９・・・が設けられている。詳しくは後述するが、ワンタッチパネル１６は複合機Ｃに対して出没自在に構成されており、ワンタッチキー２９・２９・・・は前記第一キー群に対して第二キー群を構成している。
これらの第二キー群は主に、複雑な操作や特殊操作を行う場合のキーによって構成されている。
【００１６】
ここで、複合機Ｃにおける、操作パネル１５が配置される側を前部と、自動給紙装置８が配置される側を左部と、便宜的に定義する。
ワンタッチパネル１６の右側端部にはレール１７が延設されており、図３に示すように、該レール１７は前記作像部３の右壁３ａの内側に形成されているレール受け３１に摺動自在に嵌装されている。このためワンタッチパネル１６は、複合機Ｃ本体に対して前後摺動可能となっている。
【００１７】
また、ワンタッチパネル１６右端後部より下方に向けて、プレート１８が延設されている。プレート１８は後方へ延出している横部１８ａと下方に延出している縦部１８ｂとを合わせた逆Ｌ字型に構成されている。該横部１８ａ後部には円柱状のストッパピン１９が立設されて右方に延出しており、縦部１８ｂ下部にはヒンジ２０が立設されて同じく右方に延出している。なおヒンジ２０の断面は、一方向に長い環形状をしている。
【００１８】
図３、図４に示すように、前記右壁３ａの内側には、前記レール受け３１の下方にストッパレール３２が、該ストッパレール３２の下方にはヒンジレール３３が形成されている。ストッパレール３２及びヒンジレール３３はいずれも略Ｕ字型に構成され、内部にストッパピン１９、ヒンジ２０を上下よりガイドして摺動可能としている。
【００１９】
前述したようにヒンジ２０の断面は一方向に長い環形状であり、該ヒンジ２０の長軸方向を前後方向として前記プレート１８に固着している。このため上下方向でのヒンジ２０断面の距離が、ヒンジ２０断面の最短距離である。ヒンジレール３３は開放されている後端、及び前端を除いて、該最短距離の間隔でヒンジ２０を上下から挟持しており、該ヒンジ２０を前後方向にスライド可能としている。
またヒンジレール３３前端では、ヒンジ２０が回動可能に構成されている。ここで、ヒンジレール３３前端部は、中心位置Ｐｃを中心として円形状に曲げられており、該円形状の直径はヒンジ２０断面の前後方向長さ、すなわちヒンジ２０断面の最長距離に等しい長さが与えられている。
またワンタッチパネル１６は、後方へのスライドは作像部３本体の前壁３ｂと接触するまで可能である。つまりワンタッチパネル１６は、スライド可能距離Ｌｓだけの前後スライドが可能に構成されている。
【００２０】
前述したようにストッパレール３２は、開放されている後端を除いて、ストッパピン１９を摺動可能にガイドしている。ストッパレール３２後端よりスライド可能距離Ｌｓほど前方に位置する閉位置Ｐｓまでは、ストッパレール３２は直線状に構成されている。ここで閉位置Ｐｓとは、図４に示すように、ワンタッチパネル１６が前方へスライドした際、ヒンジ２０が中心位置Ｐｃに位置するときのストッパピン１９の位置である。
【００２１】
ワンタッチパネル１６は、ヒンジ２０が中心位置Ｐｃに位置するとき、該中心位置Ｐｃを中心に回動可能に構成されており、このときストッパピン１９は前記閉位置Ｐｓより該閉位置Ｐｓ前上方の開位置Ｐｏまで移動する。
ストッパレール３２はストッパピン１９が閉位置Ｐｓより開位置Ｐｏまで中心位置Ｐｃを中心とする半径Ｒの円弧上を摺動可能となるように、該ストッパピン１９を挟持する上下のレールが円弧状に構成されている。ここで、半径Ｒはヒンジ２０の中心からストッパピン１９の中心までの距離に等しい。
また、ストッパピン１９が閉位置Ｐｓより開位置Ｐｏに移動する間にワンタッチパネル１６は角度θだけ回動する。
即ち、ワンタッチパネル１６は、閉位置Ｐｓと開位置Ｐｏとの間の範囲で回動させることにより開閉可能とされている。
【００２２】
上記構成により、ヒンジ２０が中心位置Ｐｃに位置し、ストッパピン１９が開位置Ｐｏに位置する場合には、ワンタッチパネル１６上面は複合機Ｃ本体に対して前傾して、作業者に視認可能状態となるのである。
また、ワンタッチパネル１６を回動させてストッパピン１９を開位置Ｐｓに位置させるとき、ワンタッチパネル１６は前後方向へのスライド可能状態に移行する。この状態より後方へワンタッチパネル１６は、前記前壁３ｂまでスライド可能なのである。つまり、中心位置Ｐｃを中心としてワンタッチパネル１６は開閉自在であり、ワンタッチパネル１６は後方にスライド可能距離Ｌｓだけスライド自在に構成されているのである。
さらに、閉位置Ｐｓ直下方のストッパレール３２上には突起３２ａ・３２ａが前後に渡って設けられている。このためストッパピン１９が閉位置Ｐｓに位置するときには、ストッパピン１９の該位置からの離脱防止の障害として働くのである。また作業者がワンタッチパネル１６をスライドさせる際に、突起３２ａとストッパピン１９との接触感で、ストッパピン１９が閉位置Ｐｓに到達したことを知ることが出来る。
【００２３】
ワンタッチキー２９・２９・・・の操作時には、ワンタッチパネル１６をストッパピン１９が開位置Ｐｏに位置する状態に固定して、該ワンタッチパネル１６の開放状態を維持したまま、作業者はコピー、ファクシミリ等の操作作業を行うことが出来るのである。
【００２４】
またワンタッチパネル１６に複合機Ｃの各種キー群の一部を配設するため、機能を損なうことなく、操作パネル１５に配設すべきキーの数を減らすことが出来、操作パネル１５のパネル面の大きさを小さく、特に幅方向を短縮することができる。
このため、複合機Ｃを上方から見下ろす作業者からは、排紙トレイ５をキー操作を行う姿勢のままでも、視認することが出来て、複合機Ｃからの記録紙の排出の様子を確認することが出来るのである。
【００２５】
【発明の効果】
請求項１記載の発明によれば、装置に備えられているキー群の一部をスライド及び開閉自在の第二の操作パネルに配設して、常時露出する第一の操作パネルに配置されるキーの数を減少させることが出来る。
また、作業の必要に応じて多数のキーを作業者に対して露出させることが可能であり、第二の操作パネルを使用しない場合は、装置本体に収納してしまうことも出来るのである。
【図面の簡単な説明】
【図１】複合機を示す斜視図である。
【図２】ワンタッチパネルを示す斜視図である。
【図３】図３はワンタッチパネルのスライド及び回動機構を示す正面図である。
【図４】ワンタッチパネルのスライド及び回動機構を示す側面図である。
【符号の説明】
１５  操作パネル
１６  ワンタッチパネル
２９  ワンタッチキー
【図１】
0004239364.tif 000002
【図２】
0004239364.tif 000003
【図３】
0004239364.tif 000004
【図４】
0004239364.tif 000005